(57)【要約】【課題】所定の選考基準によって入所できるか否か審査される認可施設について入所確度に関する有益な情報を利用者に提供し、施設ごとに入所できるか否か審査される無認可施設について利用者と無認可施設との交渉を支援する手段を提供する。【解決手段】認可保育施設については、入所を希望する利用者の個人情報を基に所定の選考基準に従って、入所の可能性を示す入所確度情報を求めて利用者端末３００Ａ、３００Ｂ、３００Ｃに表示させる。無認可保育施設については、保育園ＤＢ１２３または幼稚園ＤＢ１２４から読み出された施設情報に含まれる接続情報に基づいて、利用者端末３００Ａ、３００Ｂ、３００Ｃを無認可保育施設の有する保育施設装置２００Ａ、２００Ｂに接続する。【選択図】図１
2011018261.tif 000002
【特許請求の範囲】
【請求項１】
所定の選考基準に基づいて入所の可否が判定される複数の第１種の施設と施設ごとに入所の可否が判定される複数の第２種の施設とを含む複数の施設のうち、当該各第１種の施設について、各前記第１種の施設の場所を示す場所情報と当該各第１種の施設の空きの有無を示す空き情報とを含む施設情報を格納し、各前記第２種の施設について、当該各第２種の施設の場所を示す場所情報と当該各第２種の施設の空きの有無を示す空き情報と当該各第２種の施設の有する施設装置に利用者端末を接続するための接続情報とを含む施設情報を格納した施設情報記憶手段と、
入所を希望する施設の存在する地域を示す生活圏情報と所定の情報とを含む個人情報を取得する個人情報取得手段と、
前記施設情報記憶手段から前記施設情報を読み出し、読みだされた前記施設情報に含まれる場所情報によって示される場所が、前記個人情報取得手段によって取得された個人情報に含まれる生活圏情報によって示される地域に含まれる施設を１つ特定する施設特定手段と、
前記施設特定手段によって特定された施設の空きの有無を前記施設情報に含まれる空き情報によって判別する特定施設判別手段と、
前記特定施設判別手段によって空きが無いと判別されたことに応答して、前記施設特定手段によって特定された施設が前記所定の選考基準に基づいて入所の可否が判定される第１種の施設である場合に、前記個人情報取得手段によって取得された個人情報に含まれる所定の情報を基に前記所定の選考基準に従って、当該特定された第１種の施設へ入所する優先度を定める利用者のランクを求め、当該利用者のランクに基づいて当該第１種の施設への入所の可能性を示す入所確度情報を求めて前記利用者端末に送信し、前記施設特定手段によって特定された施設が前記施設ごとに入所の可否が判定される第２種の施設である場合に、当該特定された第２種の施設に対応する前記施設記憶手段から読み出された施設情報に含まれる接続情報に基づいて、前記利用者端末と当該特定された第２種の施設の有する施設装置とを接続する支援手段と、
を備えることを特徴とする施設入所支援装置。
【請求項２】
前記所定の選考基準に基づいて入所の可否が判定される第１種の施設ごとに前記利用者のランクを含む応募情報を記録した応募情報記憶手段を備え、
前記支援手段は、前記施設特定手段によって特定された施設が第１種の施設である場合に、前記応募情報記憶手段から当該特定された第１種の施設の応募情報を読み出し、当該読み出された応募情報に含まれる利用者のランクに基づいて当該特定された第１種の施設についてランクごとの利用者数を求め、更に、当該ランクごとの利用者数と入所を希望する利用者の前記ランクに基づいて前記入所確度情報を求め、当該特定された第１種の施設のランクごとの利用者数と前記入所確度情報を前記利用者端末に送信する、
ことを特徴とする請求項１に記載の施設入所支援装置。
【請求項３】
前記支援手段によって送信された特定された第１種の施設のランクごとの利用者数と入所確度情報に対応して、前記利用者端末から送信される、前記特定された第１種の施設への入所を希望する利用者の応募情報を前記応募情報記憶手段に登録することを指示する応募情報登録指示を受信する応募情報登録指示受信手段と、
前記応募情報登録指示受信手段が応募情報登録指示を受信したことに応答して、前記特定された第１種の施設への入所を希望する利用者の応募情報を前記応募情報記憶手段に格納する応募情報格納手段と、
を備えることを特徴とする請求項２に記載の施設入所支援装置。
【請求項４】
前記支援手段は、前記施設特定手段によって特定された施設が前記施設ごとに入所の可否が判定される第２種の施設である場合に、前記第２種の施設の有する施設装置にアクセスするための認証情報を前記利用者端末に送信し、前記個人情報を前記施設装置に送信することを特徴とする請求項１乃至３のいずれか１項に記載の施設入所支援装置。
【請求項５】
前記施設情報に含まれる場所情報によって示される場所が前記個人情報取得手段によって取得された個人情報に含まれる生活圏情報によって示される地域に含まれる１つ以上の施設を選択する施設選択手段と、
前記施設選択手段によって選択された各施設について、前記施設情報記憶手段から読み出された施設情報を前記利用者端末に送信する施設情報送信手段と、
前記施設情報送信手段によって送信された各施設の施設情報に対応して前記利用者端末から送信される施設を１つ特定する施設特定情報を受信する施設特定情報受信手段と、
を備え、
前記施設特定手段は、前記施設特定情報受信手段によって受信された施設特定情報に基づいて施設を１つ特定する、
ことを特徴とする請求項１乃至４のいずれか１項に記載の施設入所支援装置。
【請求項６】
地域ごとの年齢別の人口分布を示す年齢別人口分布情報を格納した人口分布記憶手段を備え、
前記個人情報は、利用者の子供の年齢を示す年齢情報を含み、
前記施設情報記憶手段に記録されている各施設の施設情報は、当該各施設を利用できる地域を示す利用地域情報と当該各施設に入所している子供の年齢ごとの人数を示す在所人数情報を含み、
施設選択手段は、前記個人情報取得手段によって取得された個人情報に含まれる年齢情報が示す年齢の子供について、前記人口分布記憶手段から当該年齢の年齢別人口分布情報を読み出し、当該読み出された年齢別人口分布情報に基づいて前記生活圏情報によって示される地域に住んでいる居住人数を求め、前記施設情報記憶手段から各施設の施設情報を読み出し、当該施設情報に含まれる利用地域情報と在所人数情報に基づいて前記生活圏情報によって示される地域の施設に入所している入所済み人数を求め、当該施設情報に含まれる空き人数情報に基づいて前記生活圏情報によって示される地域の施設内の全ての施設の空き人数の合計を求め、前記居住人数から前記入所済み人数を減算した結果が前記空き人数の合計以上である場合に、前記生活圏情報によって示される地域に含まれる全ての施設を選択する、
ことを特徴とする請求項５に記載の施設入所支援装置。
【請求項７】
所定の選考基準に基づいて入所の可否が判定される複数の第１種の施設と施設ごとに入所の可否が判定される複数の第２種の施設とを含む複数の施設のうち入所を希望する施設について、当該施設の存在する地域を示す生活圏情報と所定の情報とを含む個人情報を取得するステップと、
各前記第１種の施設について、当該各第１種の施設の場所を示す場所情報と当該各第１種の施設の空きの有無を示す空き情報とを含む施設情報を格納し、各前記第２種の施設について、当該各第２種の施設の場所を示す場所情報と当該各第２種の施設の空きの有無を示す空き情報と当該各第２種の施設の有する施設装置に利用者端末を接続するための接続情報とを含む施設情報が格納された施設情報記憶手段から施設情報を読み出し、当該読みだされた施設情報に含まれる場所情報によって示される場所が、前記取得された個人情報に含まれる生活圏情報によって示される地域に含まれる施設を１つ特定するステップと、
前記特定された施設の空きの有無を前記施設情報に含まれる空き情報によって判別するステップと、
空きが無いと判別されたことに応答して、前記特定された施設が前記所定の選考基準に基づいて入所の可否が判定される第１種の施設である場合に、前記取得された個人情報に含まれる所定の情報を基に前記所定の選考基準に従って、当該特定された第１種の施設へ入所する優先度を定める利用者のランクを求め、当該利用者のランクに基づいて当該第１種の施設への入所の可能性を示す入所確度情報を求めて前記利用者端末に送信し、前記特定された施設が前記施設ごとに入所の可否が判定される第２種の施設である場合に、当該特定された第２種の施設に対応する前記施設記憶手段から読み出された施設情報に含まれる接続情報に基づいて、前記利用者端末と当該特定された第２種の施設の有する施設装置とを接続するステップと、
を備えることを特徴とする施設入所支援方法。
【発明の詳細な説明】
【技術分野】
【０００１】
本発明は、施設への入所を支援する施設入所支援装置および施設入所支援方法に関する。
【背景技術】
【０００２】
子育てに必要となる情報を提供するための様々な技術が提案されている。例えば、特許文献１は、利用者の生活圏を示す生活圏情報を入力させ、子育てする際に利用する施設(保育園、幼稚園、小学校、病院等)を利用者の生活圏に対応して検索する技術を開示する。
【０００３】
特許文献１に記載の子育て支援システムの利用者は、関連施設の検索、さらに、関連施設の利用可否について情報を得ることができる。特に、教育機関への入所・入学は各世帯にとってライフステージの節目となるため、正確な情報を利用者に通知することは子育て支援システムにとって重要である。
【先行技術文献】
【特許文献】
【０００４】
【特許文献１】特開２００５−２８４８４４号公報
【発明の概要】
【発明が解決しようとする課題】
【０００５】
教育機関の募集条件は多種多様である。義務教育である小学校以降は入学希望人数が多くても、各施設に定員がないため、入学に対する敷居が低い。一方、義務教育ではない保育園と幼稚園の各保育施設に関しては定員が設定されている。各保育施設の定員以上の応募があった場合には選考のプロセスが発生する。選考の結果として条件に適合しない世帯の児童は入所・入園できない。その結果、仕事の退職や引越しなどライフスタイルの見直しを迫られる場合がある。このため、選考プロセスに関しては詳細な情報を提供することが望ましい。
【０００６】
特許文献１に記載の子育て支援システムでは、保育園と幼稚園の周辺地域の児童数および保育園と幼稚園の定員を比較して入所確度(入所可能もしくは不可能)を表示する。しかし、保育園と幼稚園が不足している現状では、都市部のほとんどの地域で「入所不可」の結果が表示される。このため、特許文献１に記載の子育て支援システムは、入所確度について有益な情報を提供することができない。
【０００７】
また、特許文献１に記載の子育て支援システムでは、自治体が作成した選考基準をもとに入所確度を算出する。このため、保育園や幼稚園（以下、保育園と幼稚園をまとめて保育施設という。）について入所確度が表示される対象となる保育施設は自治体が選考に関与する認可保育施設に限定される。
認可保育施設が入所不可である場合、利用者は無認可保育施設を検討することになる。しかし、無認可保育施設の児童の選考プロセスは各無認可保育施設によって異なり、独自の基準で行われている。無認可保育施設は募集条件をインターネット等の手段で公開することはできるが、応募状況についてはセキュリティの観点から外部に公開できない。このため、利用者が無認可保育施設に入園を希望する場合は保育施設への問い合わせや面談などを実施する必要があり、利用者と無認可保育施設とが直接交渉することになる。
【０００８】
本発明はこのような状況に鑑みてなされたものであり、所定の選考基準によって入所できるか否か審査される認可施設について入所確度に関する有益な情報を利用者に提供し、施設ごとに入所できるか否か審査される無認可施設について利用者と無認可施設との交渉を支援する手段を提供するものである。
【課題を解決するための手段】
【０００９】
上記目的を達成するため、本発明に係る施設入所支援装置は、
所定の選考基準に基づいて入所の可否が判定される複数の第１種の施設と施設ごとに入所の可否が判定される複数の第２種の施設とを含む複数の施設のうち、当該各第１種の施設について、各前記第１種の施設の場所を示す場所情報と当該各第１種の施設の空きの有無を示す空き情報とを含む施設情報を格納し、各前記第２種の施設について、当該各第２種の施設の場所を示す場所情報と当該各第２種の施設の空きの有無を示す空き情報と当該各第２種の施設の有する施設装置に利用者端末を接続するための接続情報とを含む施設情報を格納した施設情報記憶手段と、
入所を希望する施設の存在する地域を示す生活圏情報と所定の情報とを含む個人情報を取得する個人情報取得手段と、
前記施設情報記憶手段から前記施設情報を読み出し、読みだされた前記施設情報に含まれる場所情報によって示される場所が、前記個人情報取得手段によって取得された個人情報に含まれる生活圏情報によって示される地域に含まれる施設を１つ特定する施設特定手段と、
前記施設特定手段によって特定された施設の空きの有無を前記施設情報に含まれる空き情報によって判別する特定施設判別手段と、
前記特定施設判別手段によって空きが無いと判別されたことに応答して、前記施設特定手段によって特定された施設が前記所定の選考基準に基づいて入所の可否が判定される第１種の施設である場合に、前記個人情報取得手段によって取得された個人情報に含まれる所定の情報を基に前記所定の選考基準に従って、当該特定された第１種の施設へ入所する優先度を定める利用者のランクを求め、当該利用者のランクに基づいて当該第１種の施設への入所の可能性を示す入所確度情報を求めて前記利用者端末に送信し、前記施設特定手段によって特定された施設が前記施設ごとに入所の可否が判定される第２種の施設である場合に、当該特定された第２種の施設に対応する前記施設記憶手段から読み出された施設情報に含まれる接続情報に基づいて、前記利用者端末と当該特定された第２種の施設の有する施設装置とを接続する支援手段と、
を備えることを特徴とする。
【００１０】
好ましくは、本発明に係る施設入所支援装置は、
前記所定の選考基準に基づいて入所の可否が判定される第１種の施設ごとに前記利用者のランクを含む応募情報を記録した応募情報記憶手段を備え、
前記支援手段は、前記施設特定手段によって特定された施設が第１種の施設である場合に、前記応募情報記憶手段から当該特定された第１種の施設の応募情報を読み出し、当該読み出された応募情報に含まれる利用者のランクに基づいて当該特定された第１種の施設についてランクごとの利用者数を求め、更に、当該ランクごとの利用者数と入所を希望する利用者の前記ランクに基づいて前記入所確度情報を求め、当該特定された第１種の施設のランクごとの利用者数と前記入所確度情報を前記利用者端末に送信する、
ことを特徴とする。
【００１１】
好ましくは、本発明に係る施設入所支援装置は、
前記支援手段によって送信された特定された第１種の施設のランクごとの利用者数と入所確度情報に対応して、前記利用者端末から送信される、前記特定された第１種の施設への入所を希望する利用者の応募情報を前記応募情報記憶手段に登録することを指示する応募情報登録指示を受信する応募情報登録指示受信手段と、
前記応募情報登録指示受信手段が応募情報登録指示を受信したことに応答して、前記特定された第１種の施設への入所を希望する利用者の応募情報を前記応募情報記憶手段に格納する応募情報格納手段と、
を備えることを特徴とする。
【００１２】
好ましくは、前記支援手段は、前記施設特定手段によって特定された施設が前記施設ごとに入所の可否が判定される第２種の施設である場合に、前記第２種の施設の有する施設装置にアクセスするための認証情報を前記利用者端末に送信し、前記個人情報を前記施設装置に送信することを特徴とする。
【００１３】
好ましくは、本発明に係る施設入所支援装置は、
前記施設情報に含まれる場所情報によって示される場所が前記個人情報取得手段によって取得された個人情報に含まれる生活圏情報によって示される地域に含まれる１つ以上の施設を選択する施設選択手段と、
前記施設選択手段によって選択された各施設について、前記施設情報記憶手段から読み出された施設情報を前記利用者端末に送信する施設情報送信手段と、
前記施設情報送信手段によって送信された各施設の施設情報に対応して前記利用者端末から送信される施設を１つ特定する施設特定情報を受信する施設特定情報受信手段と、
を備え、
前記施設特定手段は、前記施設特定情報受信手段によって受信された施設特定情報に基づいて施設を１つ特定する、
ことを特徴とする。
【００１４】
好ましくは、本発明に係る施設入所支援装置は、
地域ごとの年齢別の人口分布を示す年齢別人口分布情報を格納した人口分布記憶手段を備え、
前記個人情報は、利用者の子供の年齢を示す年齢情報を含み、
前記施設情報記憶手段に記録されている各施設の施設情報は、当該各施設を利用できる地域を示す利用地域情報と当該各施設に入所している子供の年齢ごとの人数を示す在所人数情報を含み、
施設選択手段は、前記個人情報取得手段によって取得された個人情報に含まれる年齢情報が示す年齢の子供について、前記人口分布記憶手段から当該年齢の年齢別人口分布情報を読み出し、当該読み出された年齢別人口分布情報に基づいて前記生活圏情報によって示される地域に住んでいる居住人数を求め、前記施設情報記憶手段から各施設の施設情報を読み出し、当該施設情報に含まれる利用地域情報と在所人数情報に基づいて前記生活圏情報によって示される地域の施設に入所している入所済み人数を求め、当該施設情報に含まれる空き人数情報に基づいて前記生活圏情報によって示される地域の施設内の全ての施設の空き人数の合計を求め、前記居住人数から前記入所済み人数を減算した結果が前記空き人数の合計以上である場合に、前記生活圏情報によって示される地域に含まれる全ての施設を選択する、
ことを特徴とする。
【００１５】
また、本発明に係る施設入所支援方法は、
所定の選考基準に基づいて入所の可否が判定される複数の第１種の施設と施設ごとに入所の可否が判定される複数の第２種の施設とを含む複数の施設のうち入所を希望する施設について、当該施設の存在する地域を示す生活圏情報と所定の情報とを含む個人情報を取得するステップと、
各前記第１種の施設について、当該各第１種の施設の場所を示す場所情報と当該各第１種の施設の空きの有無を示す空き情報とを含む施設情報を格納し、各前記第２種の施設について、当該各第２種の施設の場所を示す場所情報と当該各第２種の施設の空きの有無を示す空き情報と当該各第２種の施設の有する施設装置に利用者端末を接続するための接続情報とを含む施設情報が格納された施設情報記憶手段から施設情報を読み出し、当該読みだされた施設情報に含まれる場所情報によって示される場所が、前記取得された個人情報に含まれる生活圏情報によって示される地域に含まれる施設を１つ特定するステップと、
前記特定された施設の空きの有無を前記施設情報に含まれる空き情報によって判別するステップと、
空きが無いと判別されたことに応答して、前記特定された施設が前記所定の選考基準に基づいて入所の可否が判定される第１種の施設である場合に、前記取得された個人情報に含まれる所定の情報を基に前記所定の選考基準に従って、当該特定された第１種の施設へ入所する優先度を定める利用者のランクを求め、当該利用者のランクに基づいて当該第１種の施設への入所の可能性を示す入所確度情報を求めて前記利用者端末に送信し、前記特定された施設が前記施設ごとに入所の可否が判定される第２種の施設である場合に、当該特定された第２種の施設に対応する前記施設記憶手段から読み出された施設情報に含まれる接続情報に基づいて、前記利用者端末と当該特定された第２種の施設の有する施設装置とを接続するステップと、
を備えることを特徴とする。
【発明の効果】
【００１６】
本発明によれば、所定の選考基準によって入所できるか否か審査される認可施設について入所確度に関する有益な情報を利用者に提供し、施設ごとに入所できるか否か審査される無認可施設について利用者と無認可施設との交渉を支援する手段を提供することができる。
【図面の簡単な説明】
【００１７】
【図１】本発明の実施形態に係る保育施設入所支援システム１の構成の一例を示す図である。
【図２】利用者端末の表示部のＷｅｂブラウザに表示される個人情報を登録する画面の一例を示す図である。
【図３】入所判定処理の流れを示すフローチャートである。
【図４】選考処理  の流れを示すフローチャートである。
【図５】入所に応募するために選択された保育施設を含む画面の一例を示す図である。
【図６】入所に応募した認可保護施設の応募状況と選考状況を表示する画面の一例を示す図である。
【図７】入所を希望する無認可保護施設と通信を行うためのリンクボタンを表示した画面の一例を示す図である。
【図８】第１希望から第３希望までの認可保育施設を入力する欄を表示した画面の一例を示す図である。
【図９】応募処理の流れを示すフローチャートである。
【図１０】応募情報データベースのテーブル構造を示す図である。
【発明を実施するための形態】
【００１８】
以下、本発明の実施形態について図面を参照しながら詳細に説明する。
【００１９】
本発明の実施形態に係る保育施設入所支援システム１は、図１に示すように、保育施設入所支援装置１００と、保育施設装置２００Ａ、２００Ｂと、利用者端末３００Ａ、３００Ｂ、３００Ｃとを有している。
【００２０】
保育施設入所支援装置１００はネットワーク４１０とネットワーク４２０に接続されている。
なお、図１では、ネットワーク４１０とネットワーク４２０を別々に示したが、ネットワーク４１０とネットワーク４２０は１つの共通のネットワークであっても良い。
保育施設入所支援装置１００の詳細については後述する。
【００２１】
保育施設装置２００Ａと保育施設装置２００Ｂは、入園者を独自に選考するプロセスを持つ無認可保育園または無認可幼稚園（以下、無認可保育園と無認可幼稚園をまとめて無認可保育施設という。）に設置されている装置である。保育施設装置２００Ａと保育施設装置２００Ｂは、図示しないＣＰＵ（Ｃｅｎｔｒａｌ  Ｐｒｏｃｅｓｓｉｎｇ  Ｕｎｉｔ）及びメモリと、入所児童ＤＢ（データベース）２１１Ａ、２１１Ｂと入所条件ＤＢ２１２Ａ、２１２Ｂとを有している。入所児童ＤＢ２１１Ａ、２１１Ｂは、入所している児童の名前、生年月日、住所等の入所済み児童に関する情報を格納している。入所条件ＤＢ２１２Ａ、２１２Ｂは、無認可保育施設独自の選考基準を格納している。
保育施設装置２００Ａと保育施設装置２００Ｂは、ネットワーク４１０に接続されている。
【００２２】
なお、保育園と幼稚園には、無認可保育園または無認可幼稚園の他に、自治体が入園者の選考に関与する認可保育園と認可幼稚園（以下、認可保育園と認可幼稚園をまとめて認可保育施設という。）がある。
また、ネットワーク４１０に接続される保育施設装置は、２台に限らず、１台でも良いし、３台以上でも良い。
以下の説明では、保育施設装置２００Ａと保育施設装置２００Ｂを特に区別する必要はない。このため、保育施設装置２００Ａと保育施設装置２００Ｂを保育施設装置２００と記載する。同様に、入所条件ＤＢ２１２Ａと入所条件ＤＢ２１２Ｂを入所条件ＤＢ２１２と記載する。
【００２３】
利用者端末３００Ａ、３００Ｂ、３００Ｃは、保育施設入所支援システム１の利用者が使用する端末である。利用者端末３００Ａ、３００Ｂ、３００Ｃは、図示しないＣＰＵとメモリとディスプレイ等の表示部とを有している。利用者端末３００Ａ、３００Ｂ、３００Ｃは、ネットワーク４２０に接続されている。
利用者端末３００Ａ、３００Ｂ、３００Ｃは、ネットワーク４２０を介して保育施設入所支援装置１００からＨＴＭＬ（ＨｙｐｅｒＴｅｘｔ  Ｍａｒｋｕｐ  Ｌａｎｇｕａｇｅ）ファイル等をダウンロードし、ＨＴＭＬファイルの内容をＷｅｂブラウザに表示する。
なお、ネットワーク４２０に接続される利用者端末は、３台に限らず、１台でも２台でも良いし、４台以上でも良い。
以下の説明では、利用者端末３００Ａと利用者端末３００Ｂと利用者端末３００Ｃを特に区別する必要はない。このため、利用者端末３００Ａと利用者端末３００Ｂと利用者端末３００Ｃを利用者端末３００と記載する。
【００２４】
保育施設入所支援装置１００は、情報処理部１１０と、記憶部１２０と、ＶＰＮ（Ｖｉｒｔｕａｌ  Ｐｒｉｖａｔｅ  Ｎｅｔｗｏｒｋ）装置１３０とを有している。
【００２５】
情報処理部１１０は、ＣＰＵとメモリとを有している。情報処理部１１０は、メモリに読み込んだプログラムを実行することによって、個人情報登録処理部１１１と、生活圏設定処理部１１２と、施設検索処理部１１３と、入所判定処理部１１４と、選考処理部１１５と、応募処理部１１６の各機能を実現する処理を行う。これらの処理の詳細については後述する。
【００２６】
記憶部１２０は、ハードディスク装置や光ディスク装置等の記憶装置を含んでいる。記憶部１２０は、個人情報ＤＢ１２１と、保育施設ＤＢ１２２と、生活圏設定ＤＢ１２５と、人口分布ＤＢ１２６と、応募情報ＤＢ１２７とを記憶している。また、保育施設ＤＢ１２２は保育園ＤＢ１２３と幼稚園ＤＢ１２４とを含んでいる。これらのデータベースについては後述する。
保育施設入所支援システム１は、これらのデータベースを管理するために、図示しないデータベース管理システムを有している。
【００２７】
ＶＰＮ装置１３０は、利用者端末３００と保育施設入所支援装置１００の間にＶＰＮ（仮想プライベートネットワーク）を構成し、ネットワーク４２０を介して利用者端末３００と保育施設入所支援装置１００の間で相互に暗号化した通信を行わせる。同様に、ＶＰＮ装置１３０は、保育施設装置２００と保育施設入所支援装置１００の間にＶＰＮを構成し、ネットワーク４１０を介して保育施設装置２００と保育施設入所支援装置１００の間で相互に暗号化した通信を行わせる。
なお、秘密とする必要がない情報を送受信する場合には、ＶＰＮ装置１３０は、利用者端末３００と保育施設入所支援装置１００との間および保育施設装置２００と保育施設入所支援装置１００の間で情報を暗号化せずに送受信することもできる。
【００２８】
次に、情報処理部１１０が実行する各部の処理について説明する。
【００２９】
個人情報登録処理部１１１は、個人情報を取得し、個人情報ＤＢ１２１（後述）に格納する個人情報登録処理を行う。
個人情報登録処理を行うとき、情報処理部１１０は、利用者の個人情報の入力を受け付けるための画面が記述されたＨＴＭＬファイルを利用者端末３００に送信する。
利用者端末３００は、ＨＴＭＬファイルを受信すると、表示部のＷｅｂブラウザに利用者の個人情報の入力を受け付けるための画面を表示する。利用者端末３００がＷｅｂブラウザに表示する画面の一例を図２に示す。図２の個人情報登録画面には、個人情報として、住所、氏名／続柄、家族情報、生活圏、メールアドレス、ＩＤ（Ｉｄｅｎｔｉｆｉｅｒ）とパスワード、労働形態、通院状況を記入・設定する入力欄が設けられている。
【００３０】
利用者端末３００を利用する利用者は、Ｗｅｂブラウザに表示されている画面に設けられた入力欄に利用者の個人情報を入力する。
利用者が入力・設定を済ませ、図２の「登録する」のボタンを押す（マウス等でクリックする）と、利用者端末３００は、「登録する」旨の指示と個人情報を保育施設入所支援装置１００に送信する。
【００３１】
情報処理部１１０は、利用者端末３００から「登録する」旨の指示と個人情報を受信すると、生活圏の入力欄で手動設定が選択されていた場合、次に説明する生活圏設定処理を実行する。また、情報処理部１１０は、受信した個人情報を個人情報ＤＢ１２１に格納する。利用者は、個人情報を保育施設入所支援装置１００に送信した後、利用者端末３００をオフし、後日、情報処理部１１０に個人情報ＤＢ１２１に格納されている個人情報を読み出させて他の各部の処理を行わせることもできる。
【００３２】
一方、利用者が図２の「登録しない」のボタンを押すと、利用者端末３００は、「登録しない」旨の指示と個人情報を保育施設入所支援装置１００に送信する。
利用者端末３００から「登録しない」旨の指示と個人情報を受信すると、情報処理部１１０は、生活圏の入力欄で手動設定が選択されていた場合、生活圏設定処理を実行する。この場合、情報処理部１１０は、メモリに記憶されている利用者端末３００から受信した個人情報を用いて、以下に示す生活圏設定処理部１１２と、施設検索処理部１１３と、入所判定処理部１１４と、選考処理部１１５の各処理を行う。ただし、応募処理部１１６の処理は応募情報の応募情報ＤＢ１２７への登録を行うため、「登録しない」のボタンが押された場合、情報処理部１１０は応募処理部１１６の処理を行わない。
【００３３】
なお、図２の「登録する」のボタンが押された場合であっても、情報処理部１１０は、個人情報ＤＢ１２７から読み出した個人情報ではなく、利用者端末３００から受信した個人情報を用いて、以下に示す各部の処理を行っても良い。
【００３４】
生活圏設定処理部１１２は、地図上で指定された利用者の生活圏情報の入力を受け付けて生活圏を設定する生活圏設定処理を行う。
生活圏設定処理を行うとき、情報処理部１１０は、生活圏設定ＤＢ１２５から利用者の住所を含む範囲を指定可能な地図情報を読み出す。情報処理部１１０は、読み出した地図情報を含んだ、利用者の生活圏情報の入力を受け付けるための画面が記述されたＨＴＭＬファイルを利用者端末３００に送信する。
利用者端末３００は、ＨＴＭＬファイルを受信すると、表示部のＷｅｂブラウザに利用者の生活圏情報の入力を受け付けるための地図を表示する。利用者端末３００を利用する利用者は、例えばタブレット等の入力補助ペンやマウス等を用いて地図上の生活圏を囲んで指定する。利用者端末３００は、入力された生活圏情報を保育施設入所支援装置１００に送信する。
情報処理部１１０は、利用者端末３００から生活圏情報を受信すると、受信した生活圏情報を個人情報ＤＢ１２１に格納する。
【００３５】
施設検索処理部１１３は、利用者の生活圏情報で指定される範囲の地域に存在する保育施設の施設情報を保育施設ＤＢ１２２から検索する施設検索処理を行う。
施設検索処理を行うとき、情報処理部１１０は、利用者による保育施設を検索する指示を受け付けるための画面が記述されたＨＴＭＬファイルを利用者端末３００に送信する。
利用者端末３００は、ＨＴＭＬファイルを受信すると、表示部のＷｅｂブラウザに保育施設を検索する指示を受け付けるための画面を表示する。利用者端末３００を利用する利用者は、Ｗｅｂブラウザに表示されている画面に設けられた入力欄に保育施設の検索指示を入力する。利用者端末３００は、入力された保育施設の検索指示を保育施設入所支援装置１００に送信する。
各保育施設の施設情報には各保育施設の場所（住所）を示す場所情報が含まれている。情報処理部１１０は、保育施設の検索指示を受信すると、利用者の個人情報に含まれる生活圏情報で指定される範囲の地域に存在する各保育施設の施設情報を保育施設ＤＢ１２２から検索して読み出す。
【００３６】
入所判定処理部１１４は、入所判定処理を行う。具体的には、入所判定処理部１１４は、入所を希望する児童と同じ年齢の児童について、利用者の生活圏情報によって示される地域に住んでいる児童の居住人数から生活圏情報によって示される地域のいずれかの保育施設に入所している総人数を減算し、その結果が生活圏情報によって示される地域内の全ての保育施設の定員の合計より少ないか否かにより保育施設の空きの有無を判別する。
【００３７】
図３は、入所判定処理の流れを示す。入所判定処理を行うとき、情報処理部１１０は、上記個人情報登録処理で取得した利用者の個人情報に含まれる生年月日（年齢情報）から児童の年齢を求める（ステップＳ１０１）。
次に、情報処理部１１０は、求められた年齢の児童について、人口分布ＤＢ１２６からその年齢の年齢別人口分布情報を読み出し、読み出された年齢別人口分布情報に基づいて生活圏情報によって示される地域に住んでいる同年齢の児童の居住人数を求める（ステップＳ１０２）。
【００３８】
次に、情報処理部１１０は、保育施設ＤＢ１２２から生活圏情報によって示される地域に存在する各保育施設の施設情報を読み出す。施設情報には各保育施設を利用できる地域を示す利用地域情報と、各保育施設に入所済みの人数を示す在所人数情報と、各保育施設の空き人数を示す空き人数情報とが含まれている。情報処理部１１０は、読み出された施設情報に含まれる利用地域情報と在所人数情報に基づいて生活圏情報によって示される地域の保育施設に入所している同年齢の児童の総人数を求める（ステップＳ１０３）。また、情報処理部１１０は、読み出された施設情報に含まれる空き人数情報に基づいて生活圏情報によって示される地域内の全ての保育施設の空き人数の合計を求める（ステップＳ１０４）。そして、情報処理部１１０は、同年齢の児童の居住人数から入所済みの総人数を減算し、その結果が保育施設の空き人数の合計より少ない場合（ステップＳ１０５：Ｙｅｓ）に、いずれかの保育施設に空きが有り、入所可能と判別する。この場合、情報処理部１１０は、入所可能である旨のメッセージと入所できる保育施設の施設情報が記述されたＨＴＭＬファイルを利用者端末３００に送信する（ステップＳ１０６）。
一方、同年齢の児童の居住人数から入所済みの総人数を減算した結果が保育施設の空き人数の合計以上である場合（ステップＳ１０５：Ｎｏ）には、情報処理部１１０は、保育施設に空きが無く、入所不可能と判別する。そして、情報処理部１１０は、以下に示す選考処理を実行する。
【００３９】
選考処理部１１５は、選考処理を行う。具体的には、選考処理部１１５は、利用者が児童を入所させることを希望する保育施設が認可保育施設である場合、自治体が定めた所定の選考基準に従って入所の可能性を示す入所確度情報を求め、保育施設への応募情報と入所確度情報を利用者端末３００に表示させる。また、選考処理部１１５は、利用者が児童を入所させることを希望する保育施設が無認可保育施設である場合、その無認可保育施設の有する保育施設装置２００と利用者端末３００が相互に通信できるようにＶＰＮ装置１３０を設定し、利用者端末３００を保育施設装置２００に接続する。
【００４０】
図４は、選考処理の流れを示す。選考処理を行うとき、情報処理部１１０は、個人情報登録処理で取得した個人情報に含まれる生活圏情報によって示される地域に存在する各保育施設の施設情報を保育施設ＤＢ１２２から読み出す（ステップＳ２０１）。次に、情報処理部１１０は、生活圏情報によって示される地域内に、読み出された場所情報によって示される場所が含まれる１つ以上の保育施設を選択する（ステップＳ２０２）。
ステップＳ２０２を実現するさまざまな方法が考えられる。例えば、情報処理部１１０は、ステップＳ２０２において、保育施設の施設情報に含まれる場所情報によって示される場所が個人情報に含まれる生活圏情報によって示される地域に含まれる全ての保育施設を選択することができる。なお、この場合、上述した入所判定処理部１１４は不要である。
また、情報処理部１１０は、ステップＳ２０２において、上述した入所判定処理によっていずれの保育施設にも空きが無いと判別された場合に、個人情報に含まれる生活圏情報によって示される地域に含まれる全ての保育施設を選択することができる。
あるいは、例えば、上述した入所判定処理によって、いずれかの保育施設に空きが有り、入所可能と判別され、入所できる保育施設の施設情報を利用者端末３００に送信したが、利用者端末３００から利用者は空きの有る保育施設に入所を希望しないことを示す情報が返信された場合、情報処理部１１０は、ステップＳ２０２において、個人情報に含まれる生活圏情報によって示される地域に含まれており、かつ、空きの無い保育施設を全て選択することができる。
【００４１】
次に、情報処理部１１０は、選択した保育施設の施設情報が記述されたＨＴＭＬファイルを利用者端末３００に送信する（ステップＳ２０３）。
利用者端末３００は、ＨＴＭＬファイルを受信すると、図５に示すように、表示部のＷｅｂブラウザにステップＳ２０２で選択された保育施設を含む画面を表示し、応募する入所希望の保育施設を特定する情報を受け付ける。
利用者端末３００を利用する利用者は、図５の画面の応募施設のチェック欄にチェックを付すことによって入所希望の保護施設を特定する。例えば、図５は、○○保育園に応募する例を示す。
利用者端末３００は、入所希望の保育施設を特定する情報を保育施設入所支援装置１００に返信する。
【００４２】
情報処理部１１０は、利用者端末３００から入所希望の保育施設を特定する情報が返信されると、この情報を受信する（ステップＳ２０４）。
利用者によって特定された入所希望の保育施設に入所済みの人数が定員より少なく、空きが有る場合（ステップＳ２０５；Ｙｅｓ）、特定された保育施設に確実に入所できる。この場合、情報処理部１１０は、入所可能である旨のメッセージが記述されたＨＴＭＬファイルを利用者端末３００に送信し（ステップＳ２０６）、選考処理部１１５の処理を終了する。
利用者端末３００は、ＨＴＭＬファイルを受信すると、表示部のＷｅｂブラウザに入所可能である旨のメッセージを表示する。
【００４３】
利用者によって特定された入所希望の保育施設に空きが無く（ステップＳ２０５；Ｎｏ）、かつ、特定された入所希望の保育施設が認可保育施設である場合（ステップＳ２０７；Ｙｅｓ）、情報処理部１１０は、特定された保育施設の応募情報を応募情報ＤＢ１２７から読み出し、特定された保育施設への応募状況を求める（詳細は後述する。）（ステップＳ２０８）。更に、情報処理部１１０は、個人情報と応募状況を基に自治体が定めた所定の選考基準に従って、特定された保育施設への入所の可能性を示す入所確度情報（詳細は後述する。）を求める（ステップＳ２０９）。情報処理部１１０は、応募状況と入所確度情報（選考状況）が記述されたＨＴＭＬファイルを利用者端末３００に送信し（ステップＳ２１０）、選考処理部１１５の処理を終了する。
【００４４】
利用者端末３００は、ＨＴＭＬファイルを受信すると、図６に示すように、表示部のＷｅｂブラウザに応募状況と選考状況（入所確度情報）と応募ボタンと終了ボタンを表示する。図６には、○○保育園の応募状況と選考状況が表示されている。
応募状況と選考状況を見た利用者が、応募ボタンをマウス等により押下すると、利用者端末３００は保育施設入所支援装置１００に応募指示を送信する。
情報処理部１１０は、応募指示を受信すると、希望する認可保育施設への応募処理（詳細については、後述する。）を行う。
【００４５】
利用者によって特定された入所希望の保育施設に空きが無く（ステップＳ２０５；Ｎｏ）、かつ、特定された入所希望の保育施設が無認可保育施設である場合（ステップＳ２０７；Ｎｏ）、情報処理部１１０は、リンクボタンを表示するためのＨＴＭＬファイルを利用者端末３００に送信し（ステップＳ２１１）、選考処理部１１５の処理を終了する。
【００４６】
利用者端末３００は、ＨＴＭＬファイルを受信すると、図７に示すように、表示部のＷｅｂブラウザにリンクボタンと終了ボタンを表示する。図７は、利用者が無認可保育園である□△保育園に応募したため、リンクボタンと終了ボタンが表示された例を示す。
利用者がリンクボタンを押下すると、利用者端末３００は保育施設入所支援装置１００にリンク指示を送信する。
【００４７】
情報処理部１１０は、リンク指示を受信すると、保育施設ＤＢ１２２から利用者端末３００を保育施設装置２００に接続するための接続情報を読み出す。接続情報は、ＶＰＮ装置１３０が利用者端末３００と保育施設装置２００とを接続するための情報と、利用者端末用ＶＰＮクライアントソフトと、保育施設装置用ＶＰＮクライアントソフトとを含んでいる。ＶＰＮ装置１３０が利用者端末３００と保育施設装置２００とを接続するための情報とは、例えば、ネットワーク４１０における保育施設装置２００のアドレスである。
そして、情報処理部１１０は、ＶＰＮ装置１３０から利用者端末用のＶＰＮクライアントソフトを利用者端末３００に送信する。利用者端末用ＶＰＮクライアントソフトには、無認可保育施設の有する保育施設装置２００にアクセスするための認証情報(ＩＤ、パスワード等)が含まれている。また、ＶＰＮ装置１３０から保育施設装置用のＶＰＮクライアントソフトと利用者の個人情報を保育施設装置２００に送信する。利用者端末３００が、利用者端末３００と保育施設装置２００とを接続するための情報に基づいて利用者端末３００と保育施設装置２００とを接続し、利用者端末３００が認証情報を保育施設装置２００に送信することで利用者端末３００と保育施設装置２００との間にＶＰＮが構成される。
利用者端末３００と保育施設装置２００との間にＶＰＮが構成されている状態（利用者端末３００と保育施設装置２００とが接続された状態）において、例えば、利用者端末３００が、パケットの宛先アドレスを保育施設入所支援装置１００として、保育施設入所支援装置１００に向けてパケットを送信し、保育施設入所支援装置１００が利用者端末３００からのパケットを受信すると、ＶＰＮ装置１３０はパケットの宛先アドレスを保育施設装置２００のアドレスに変更し、保育施設装置２００にパケットを転送する。同様に、保育施設装置２００が、パケットの宛先アドレスを保育施設入所支援装置１００として、保育施設入所支援装置１００に向けてパケットを送信し、保育施設入所支援装置１００が保育施設装置２００からのパケットを受信すると、ＶＰＮ装置１３０はパケットの宛先アドレスを利用者端末３００のアドレスに変更し、利用者端末３００にパケットを転送する。
【００４８】
この構成方法では、保育施設装置２００がＶＰＮ対応のルータ等の設備を持たなくても利用者端末３００と保育施設装置２００の間で暗号化された通信を行うことができる。また、利用者端末３００から保育施設入所支援装置１００に個人情報を送信した利用者と同一の者が、保育施設装置２００にアクセスしていることが保証される。
利用者端末３００の利用者は、保育施設装置２００の入所条件ＤＢ２１２に格納されている各種データを閲覧することができる。また、入所条件に対する希望を保育施設装置２００に送信することで、利用者と無認可保育施設２００との面談に係る工数を削減することができる。
【００４９】
次に、応募情報と応募状況と入所確度情報とについて説明する。
上述したように、入所希望の保育施設に空きが無く（Ｓ２０５：Ｎｏ）、かつ、入所希望の保育施設は認可保育施設である場合（Ｓ２０７：Ｙｅｓ）、情報処理部１１０は、個人情報を基に、自治体ごとに定められた選考基準に従って保育施設へ入所する優先度を定めるランクを求める。具体的には、情報処理部１１０は、例えば、労働時間、通院状況(治療中であれば)、障害の有無(障害手帳を持っているか否か)、母子家庭か否か等の個人情報に含まれる各項目に対してスコアを付与し、入所を希望する利用者の各項目のスコアの合計により利用者のランクを求める。後述するように、応募情報はランクを含む。
【００５０】
また、利用者が入所を希望する（応募する）認可保育施設のランクごとに既に応募している利用者数（応募人数）を応募状況という。
応募情報ＤＢ１２７は、後述するように、各認可保育施設に既に応募している利用者のランクを格納している。応募情報ＤＢ１２７から利用者が入所を希望する認可保育施設の応募情報を全て読出し、ランクごとに既に応募している利用者数を合計することによって、応募状況を求めることができる。
【００５１】
更に、情報処理部１１０は、応募状況と入所を希望する利用者のランクとを基に入所確度情報を求める。
例えば、最も入所優先度の高いランクが１０、図６に示すように、入所を希望する利用者のランクが９であり、○○保育園の応募情報はランク１０の応募人数が２名、ランク９の応募人数が１名、ランク８の応募人数が１名である場合、入所を希望する利用者の入所確度はやや困難（４番目待機）となる。
【００５２】
応募処理部１１６は応募処理を行う。応募処理は、利用者が図２の個人情報を登録するボタンを押下し、かつ、図６の応募ボタンを押下した場合に、実行される。応募処理部１１６は、第１希望から第３希望までの認可保育施設名とランクと入所待ちの順番を含む応募情報を応募情報ＤＢ１２７に登録する。
利用者端末３００は、応募ボタンが押下されると、図８に示すように、認可保育施設を第１希望から第３希望まで入力する欄を表示部に表示する。利用者が第１希望から第３希望までの認可保育施設を入力し、登録ボタンを押すと、利用者端末３００は、保育施設入所支援装置１００に登録指示と第１希望から第３希望までの認可保育施設を指定する情報とを送信する。
【００５３】
応募処理部を行うとき、情報処理部１１０は、図９に示すように、登録指示と第１希望から第３希望までの認可保育施設を指定する情報と利用者端末３００からを受信する（Ｓ３０１）。
次に、情報処理部１１０は、個人情報を基に、自治体ごとに定められた選考基準に従って保育施設へ入所する優先度を定めるランクを求める（Ｓ３０２）。なお、ステップＳ３０２の処理は、選考処理部１１５におけるランクを求める処理と同一である。ステップＳ３０２の代わりに、選考処理部１１５で求めたランクを保存しておいても良い。
情報処理部１１０は、図９（Ａ）に示すように、入所を希望する利用者のＩＤと、ランクと、第１希望から第３希望までの認可保育施設名とを組みにして個人別応募情報を作成する（Ｓ３０３）。なお、入所を希望する利用者のＩＤは、個人情報に含まれるＩＤと同一である。
【００５４】
次に、情報処理部１１０は、第１希望から第３希望までの認可保育施設の入所待ち順位を求める（Ｓ３０４）。なお、入所待ち順位は、希望順位を考慮して決めても良い。
情報処理部１１０は、図９（Ｂ）に示すように、入所を希望する利用者のＩＤと、利用者のランクと、希望順位（第１希望〜第３希望）と、入所待ち順位とを組にして、保育施設別応募情報を作成する（Ｓ３０５）。そして、情報処理部１１０は、個人別応募情報と保育施設別応募情報を応募情報ＤＢ１２７に格納する（Ｓ３０６）。格納する際、同一ＩＤのレコードが既にあった場合は古いレコードを上書きする。
【００５５】
次に、記憶部１２０に記憶されているデータベースについて説明する。
【００５６】
個人情報ＤＢ１２１には、利用者の氏名と住所、生活圏、ＩＤとパスワード等の個人属性情報、生年月日と出産予定日を含む子供の情報、家族状況（父、母、祖父、祖母等の状況）、および世帯状況（所得税額等の情報）、利用者の労働形態、通院状況等の情報が格納されている。
【００５７】
保育園ＤＢ１２３には、保育園名、認可／無認可の区分、住所（場所）、電話番号、受入れ年齢、定員、空き・待機状況（空き人数・待機人数）、必要経費、交通手段、利用できる地域、入所済みの人数、利用者端末３００と保育施設装置２００を接続するための接続情報等が格納されている。
【００５８】
幼稚園ＤＢ１２４には、幼稚園名、認可／無認可の区分、住所（場所）、電話番号、受入れ年齢、定員、空き・待機状況（空き人数・待機人数）、必要経費、交通手段、利用できる地域、入所済みの人数、利用者端末３００と保育施設装置２００を接続するための接続情報等が格納されている。
【００５９】
生活圏設定ＤＢ１２５には、生活圏設定用の地図情報が格納されている。
人口分布ＤＢ１２６には、地域ごとの年齢別人口分布情報と、地域ごとの世帯区分別世帯情報とが格納されている。
応募情報ＤＢ１２７には、上述したように、認可保育施設についての個人別応募情報と保育施設別応募情報が格納されている。
【００６０】
なお、上記実施形態では、ＶＰＮ装置１３０が利用者端末３００と保育施設入所支援装置１００の間及び保育施設装置２００と保育施設入所支援装置１００の間にＶＰＮを構成するとしたが、利用者端末３００と保育施設入所支援装置１００の間及び保育施設装置２００と保育施設入所支援装置１００の間にＶＰＮを構成せず、他の方法により情報を暗号化して送受信しても良い。
【００６１】
また、上実施形態では、利用者端末３００Ａ、３００Ｂ、３００Ｃは、ネットワーク４２０を介して保育施設入所支援装置１００からＨＴＭＬファイルをダウンロードし、ＨＴＭＬファイルの内容をＷｅｂブラウザに表示するとしたが、保育施設入所支援装置１００から利用者端末３００Ａ、３００Ｂ、３００ＣにＨＴＭＬファイルに記述された内容に相等する情報を送信し、利用者端末３００Ａ、３００Ｂ、３００Ｃの表示部がその情報を表示できれば良く、保育施設入所支援装置１００から利用者端末３００に必ずしもＨＴＭＬファイルを送信しなくても良い。
例えば、情報処理部１１０は、個人情報登録処理部１１１の処理を行うとき、利用者の個人情報の入力を受け付けるための画面が記述されたＨＴＭＬファイルを利用者端末３００に送信するとしたが、情報処理部１１０は、利用者の個人情報の入力を受け付けるための画面を表示することができる情報を利用者端末３００に送信しても良い。他の処理を行うときも同様に、情報処理部１１０は、ＨＴＭＬファイルではなく、利用者端末３００の表示部に表示させるための情報を送信しても良い。
【００６２】
また、上記実施形態では、保育園と幼稚園を含む保育施設について説明したが、所定の選考基準に基づいて入所の可否が審査される認可施設と、施設ごとに入所の可否が審査される無認可施設が存在する施設であれば、本発明を適用することができる。
【００６３】
本発明によれば、所定の選考基準によって入所できるか否か審査される認可施設について入所確度に関する有益な情報を利用者に提供し、施設ごとに入所できるか否か審査される無認可施設について利用者と無認可施設との交渉を支援する手段を提供することができる。
すなわち、認可施設については、選考基準に応じた個人情報を利用者が入力することにより、入所確度を示す情報としてランク別の人数が表示される。このため、利用者は応募状況をリアルタイムに把握することができ、応募条件の検討に有益な情報を取得できる。
無認可施設については、利用者端末と各無認可施設の施設装置の間で通信を行う手段を提供する。これにより、利用者の個人情報と無認可施設の間で入所への応募のための情報を安全に交換することができる。また、個人情報が保育施設入所支援装置から無認可施設の施設装置に送信されるため、利用者は無認可施設と交渉する際に個人情報を再度入力しなくても良い。
【００６４】
特許文献１に記載の子育て支援システムでは、保育施設の周辺地域の児童数と保育施設の定員を比較して入所確度(入所可能もしくは不可能)を表示する。しかし、この方法では周辺地域の児童数に保育施設に入所済みの人数も含まれるため、純粋に入所可能な児童数を求めることができない。
一方、本発明によれば、利用者が入所を希望する保育施設が存在する生活圏内において既に保育施設に入所済みの児童は応募対象としてカウントされない。このため、本発明に係る保育施設入所支援システムは、特許文献１に記載の子育て支援システムより正確に入所可能な児童数を把握することができる。
【００６５】
以上、本発明の実施形態について説明したが、設計上の都合やその他の要因によって必要となる様々な修正や組み合わせは、請求項に記載されている発明や発明の実施形態に記載されている具体例に対応する発明の範囲に含まれると理解されるべきである。
【符号の説明】
【００６６】
１…保育施設入所支援システム、１００…保育施設入所支援装置、１１０…情報処理部、１１１…個人情報登録処理部、１１２…生活圏設定処理部、１１３…施設検索処理部、１１４…入所判定処理部、１１５…選考処理部、１１６…応募処理部、１２０…記憶部、１２１…個人情報ＤＢ、１２２…保育施設ＤＢ、１２３…保育園ＤＢ、１２４…幼稚園ＤＢ、１２５…生活圏設定ＤＢ、１２６…人口分布ＤＢ、１２７…応募情報ＤＢ、１３０…ＶＰＮ装置、２００、２００Ａ、２００Ｂ…保育施設装置、２１１Ａ、２１１Ｂ…入所児童ＤＢ、２１２、２１２Ａ、２１２Ｂ…入所条件ＤＢ、３００、３００Ａ、３００Ｂ、３００Ｃ…利用者端末、４１０…ネットワーク、４２０…ネットワーク
【図１】
2011018261.tif 000003
【図２】
2011018261.tif 000004
【図３】
2011018261.tif 000005
【図４】
2011018261.tif 000006
【図５】
2011018261.tif 000007
【図６】
2011018261.tif 000008
【図７】
2011018261.tif 000009
【図８】
2011018261.tif 000010
【図９】
2011018261.tif 000011
【図１０】
2011018261.tif 000012